(57)【要約】【課題】光軸方向に案内されかつ光軸回りの回転力が入力される部材の偏心を防止したレンズ鏡筒を提供する。【解決手段】レンズ鏡筒１を、略円筒状に形成された筒体部６０と、筒体部６０の内径側に設けられ、筒体部６０に対して光軸Ｉ方向に移動可能に支持されかつ光軸Ｉ回りの回転力が入力される移動部４０と、筒体部６０と移動部４０との間に設けられ、筒体部６０に対して移動部４０の光軸Ｉ方向の移動を案内するとともに、移動部４０の筒体部６０の内径側への移動を制限する案内部４２，６２とを備える構成とする。【選択図】図４
2006343557.tif 000002
【特許請求の範囲】
【請求項１】
略円筒状に形成された筒体部と、
前記筒体部の内径側に設けられ、前記筒体部に対して光軸方向に移動可能に支持されかつ前記光軸回りの回転力が入力される移動部と、
前記筒体部と前記移動部との間に設けられ、前記筒体部に対して前記移動部の前記光軸方向の移動を案内するとともに、前記移動部の前記筒体部の内径側への移動を制限する案内部と
を備えるレンズ鏡筒。
【請求項２】
請求項１に記載のレンズ鏡筒において、
その中心が前記光軸と略一致したピッチ円を有するギア部が形成され、前記移動部に前記ギア部から入力される前記回転力を伝達する駆動力伝達部を備え、
前記案内部は、少なくとも前記光軸回りにおいて前記ギア部が前記回転力の入力を受ける箇所を挟み、かつ、前記ギア部が前記駆動力伝達部へ伝える力の方向に対して略平行な２箇所に配置されること
を特徴とするレンズ鏡筒。
【請求項３】
請求項１又は請求項２に記載のレンズ鏡筒において、
前記案内部は、前記筒体部に前記光軸方向に延在して形成された溝部と、前記移動部に設けられ、その少なくとも一部が前記溝部に挿入される突起部とを有し、
前記溝部は、前記筒体部の周方向における溝幅が、前記筒体部の外径側よりも内径側において狭く形成され、
前記突起部は、前記溝部に収容される部分における前記筒体部の周方向の最大幅が前記溝部の最小幅よりも大きく形成されること
を特徴とするレンズ鏡筒。
【請求項４】
請求項３に記載のレンズ鏡筒において、
前記案内部の前記突起部は、前記移動部と別体に形成されること
を特徴とするレンズ鏡筒。
【請求項５】
請求項３又は請求項４に記載のレンズ鏡筒において、
前記案内部の前記溝部は、前記筒体部の外周面と内周面とを貫通して形成されること
を特徴とするレンズ鏡筒。
【発明の詳細な説明】
【技術分野】
【０００１】
本発明は、カメラの撮影用レンズ群等を収容するレンズ鏡筒に関するものである。
【背景技術】
【０００２】
カメラの撮影用レンズ鏡筒は、不使用時に光軸方向に短縮され、ボディ内に収納されるいわゆる沈胴式のものが知られている。
例えば、レンズ鏡筒は、光軸回りに回転駆動されることによってレンズ群を収容する筒体を光軸方向に移動させるカム機構を備えたヘリコイドと、この筒体を直進案内する直進案内筒とを備えたものが知られている（例えば、特許文献１）。
このレンズ鏡筒において、直進案内筒は、その外径側に突き出して形成され、固定筒の内周面に形成された直進案内溝に挿入される係合突起を備えている。
【０００３】
このようなレンズ鏡筒を備えたカメラは、例えばカバンの中に入れられた状態で誤ってスイッチがオンされた場合等に、使用状態となったレンズ鏡筒の先端部が押圧されると、この加圧力がカム機構によって回転力に変換され、直進案内筒に光軸回りの過度な回転トルクが負荷される。直進案内筒は、この回転トルクによって偏心して係合突起が固定筒の直進案内溝から引き抜かれると、ヘリコイドを駆動するギアの歯飛びが生じてしまう。カメラは、ギアの歯飛びが生じると、レンズ鏡筒と光学ファインダとの間でズームポジションがずれて視野率の誤差が生じる場合がある。
【特許文献１】特開平９−２１１２９１号公報
【発明の開示】
【発明が解決しようとする課題】
【０００４】
本発明の課題は、光軸方向に案内されかつ光軸回りの回転力が入力される部材の偏心を防止したレンズ鏡筒を提供することである。
【課題を解決するための手段】
【０００５】
本発明は、以下のような解決手段により、前記課題を解決する。
請求項１の発明は、略円筒状に形成された筒体部と、前記筒体部の内径側に設けられ、前記筒体部に対して光軸方向に移動可能に支持されかつ前記光軸回りの回転力が入力される移動部と、前記筒体部と前記移動部との間に設けられ、前記筒体部に対して前記移動部の前記光軸方向の移動を案内するとともに、前記移動部の前記筒体部の内径側への移動を制限する案内部とを備えるレンズ鏡筒である。
【０００６】
請求項２の発明は、請求項１に記載のレンズ鏡筒において、その中心が前記光軸と略一致したピッチ円を有するギア部が形成され、前記移動部に前記ギア部から入力される前記回転力を伝達する駆動力伝達部を備え、前記案内部は、少なくとも前記光軸回りにおいて前記ギア部が前記回転力の入力を受ける箇所を挟み、かつ、前記ギア部が前記駆動力伝達部へ伝える力の方向に対して略平行な２箇所に配置されることを特徴とするレンズ鏡筒である。
請求項３の発明は、請求項１又は請求項２に記載のレンズ鏡筒において、前記案内部は、前記筒体部に前記光軸方向に延在して形成された溝部と、前記移動部に設けられ、その少なくとも一部が前記溝部に挿入される突起部とを有し、前記溝部は、前記筒体部の周方向における溝幅が、前記筒体部の外径側よりも内径側において狭く形成され、前記突起部は、前記溝部に収容される部分における前記筒体部の周方向の最大幅が前記溝部の最小幅よりも大きく形成されることを特徴とするレンズ鏡筒である。
請求項４の発明は、請求項３に記載のレンズ鏡筒において、前記案内部の前記突起部は、前記移動部と別体に形成されることを特徴とするレンズ鏡筒である。
請求項５の発明は、請求項３又は請求項４に記載のレンズ鏡筒において、前記案内部の前記溝部は、前記筒体部の外周面と内周面とを貫通して形成されることを特徴とするレンズ鏡筒である。
【発明の効果】
【０００７】
本発明によれば、移動部に光軸回りの回転トルクが負荷されても、筒体部と移動部の間に設けられた案内部が移動部の内径側への移動を制限するから、移動部の偏心を防止することができる。
【発明を実施するための最良の形態】
【０００８】
本発明は、光軸方向に案内されかつ光軸回りの回転力が入力される部材の偏心を防止したレンズ鏡筒を提供するという目的を、固定筒に対して直進案内される直進キーの突起部を、内径側の幅を狭くした台形状に形成するとともに、これが挿入される固定筒の直進案内溝の最小幅を突起部の最大幅よりも小さく設定することによって実現した。
【実施例１】
【０００９】
以下、本発明を適用したレンズ鏡筒の実施例１について説明する。このレンズ鏡筒は、例えばレンズ非交換式のデジタルスチルカメラの撮影用レンズ群を備えるものであって、不使用時にはこのカメラのボディ内に収納される沈胴式のものである。また、この撮影用レンズ群は、その焦点距離を変更可能なズームレンズとなっている。
図１は、レンズ鏡筒の分解斜視図である。図２は、レンズ鏡筒の光軸を含む平面における断面図であって、沈胴（収納）時の状態を示すものである。図３は、レンズ鏡筒の光軸を含む平面における断面図であって、撮影（繰出）時の状態を示すものである。図４は、図２のIV−IV部矢視断面図である。
【００１０】
レンズ鏡筒１は、第１レンズ群Ｌ１、第２レンズ群Ｌ２、第３レンズ群Ｌ３、第１レンズ群室１０、直進筒２０、カム筒３０、直進キー４０、第２レンズ群室５０、固定筒６０、鏡筒ベース７０、第３レンズ群室８０、ズームモータ９０、フォーカスモータ１００を備えている。
第１レンズ群Ｌ１、第２レンズ群Ｌ２、第３レンズ群Ｌ３は、図２、図３に示すように、レンズ鏡筒１の光軸Ｉに沿って対物側から順次配列されている。
【００１１】
第１レンズ群室１０は、第１レンズ群Ｌ１を収容し保持するものであって、円筒状に形成され、その内径側に第１レンズ群Ｌ１を収容している。また、第１レンズ群室１０は、その外周面部にネジ部が形成されている。
【００１２】
直進筒２０は、円筒状に形成され、その内径側に第１レンズ群室１０が固定されている。直進筒２０は、第１レンズ群室１０の外周面部のネジ部と締結されるネジ部をその内周面部に備えている。また、直進筒２０は、その外周面部に、後述するカム筒３０のカム溝３１に挿入されガイドされる突起状のカムフォロワ２１を備えている。
また、直進筒２０は、レンズバリア２２、バリアリング２３を備えている。
レンズバリア２２は、直進筒２０の対物側の端部に備えられ、レンズ鏡筒１の不使用時に、第１レンズ群Ｌ１を保護するため直進筒２０の端部開口を閉塞するものである。
バリアリング２３は、レンズバリア２２の像側の面部に対向して配置された環状の部材であって、レンズバリア２２の開閉を駆動するものである。
【００１３】
カム筒３０は、円筒状に形成され、その内径側に直進筒２０、直進キー４０を収容するとともに、固定筒６０の内径側に挿入されるものである。カム筒３０は、固定筒６０に対して光軸Ｉ回りに回転しながら光軸Ｉ方向に移動可能に支持されている。カム筒３０は、その内周面に直進筒２０のカムフォロワ２１、第２レンズ群室５０のカムフォロワ５１がそれぞれガイドされるカム溝３１，３２が形成されている。
また、カム筒３０は、その外周面部に、固定筒６０のカム溝６１に挿入されガイドされる突起状のカムフォロワ３３と、ズームモータ９０の駆動ギア９１によって駆動されるギア部３４とを備えている。ギア部３４は、カム筒３０の光軸Ｉ方向像側の端部近傍に形成されている。
【００１４】
直進キー４０は、固定筒６０に対して光軸Ｉ方向に平行移動（直進）可能に支持され、直進筒２０及び第２レンズ群室５０を固定筒６０に対して直進案内するものである。直進キー４０は、円筒状に形成され、その内径側に直進筒２０が挿入されるとともに、カム筒３０の内径側に挿入されている。
直進キー４０は、その光軸Ｉ方向像側の端部から外径側につば状に突き出して形成されたフランジ部４１を備え、このフランジ部４１の外周縁部には、さらに外径側に突き出して形成され、固定筒６０の後述する直進案内溝６２に挿入される突起部４２が設けられている。この突起部４２及び直進案内部６２は、協働して固定筒６０に対する直進キー４０の光軸Ｉ回りの回転を防止するとともに、直進キー４０を光軸Ｉ方向に直進案内する案内部として機能するものである。
【００１５】
図４に示すように、突起部４２は、光軸Ｉ方向から見た場合に、直進キー４０の周方向における幅がその内径側よりも外径側において大きくなる台形状に形成され、直進キー４０と一体に形成されている。
また、突起部４２は、光軸Ｉ回りにおいて、カム筒３０のギア部３４と駆動ギア９１との噛合部Ａを挟んだ両側に例えば１対が配置されている。図４に示すように、１対の突起部４２は、光軸Ｉを中心とする隣接した２つの象限にそれぞれ設けられ、噛合部Ａは、その一方の象限内でありかつ突起部４２の間の範囲に配置されている。
【００１６】
また、直進キー４０は、外周面部から内周面部に貫通してそれぞれ形成された溝部４３，４４が設けられている。
溝部４３，４４は、直進筒２０のカムフォロワ２１，第２レンズ群室５０のカムフォロワ５１がそれぞれ挿入され、カムフォロワ２１，５１は、これらを介して対応するカム筒３０のカム溝３１，３２にそれぞれ挿入される。
さらに、直進キー４０は、バリア連動板４７を備えている。バリア連動板４７は、直進キー４０に対してスナップフィットにより固定され、直進キー４０の光軸Ｉ方向への移動に伴い、その先端に形成された斜面部によってバリアリング２３を回転させるものである。
【００１７】
第２レンズ群室５０は、第２レンズ群Ｌ２を収容し保持するものであって、直進キー４０の内径側に配置され、この直進キー４０によって固定筒６０に対して光軸I方向に直進案内されている。また、第２レンズ群室５０は、カムフォロワ５１と、シャッタユニット５２とを備えている。
カムフォロワ５１は、上述したようにカム筒３０のカム溝３２に挿入されガイドされるものである。
シャッタユニット５２は、第２レンズ群Ｌ２の入射側に備えられ、第２レンズ群室５０に固定されている。
【００１８】
固定筒６０は、円筒状に形成されて図示しないカメラボディに固定され、その内径側に上述したカム筒３０が挿入されるものである。
固定筒６０は、その内周面にカム溝６１、直進案内溝６２を備えている。
カム溝６１は、カム筒３０のカムフォロワ３３が挿入されるものである。
直進案内溝６２は、直進キー４０の突起部４２が挿入され、これを光軸Ｉ方向に直進案内するものである。
図４に示すように、直進案内溝６２は、固定筒６０の内周面を凹ませて形成され、固定筒６０の周方向における溝幅は、内径側が外径側よりも小さく形成されている。固定筒６０の周方向における直進案内溝６２の側壁面は、直進キー４０の突起部４２の対向する側面部と同様に径方向に対して傾斜を有する斜面となっており、突起部４２の側面部と略面接触した状態で摺動するようになっている。
また、固定筒６０の周方向における直進案内溝６２の最小幅（固定筒６０の内周面近傍における幅）は、上述した突起部４２の最大幅（外径側の端部における幅）よりも小さく形成されている。
【００１９】
鏡筒ベース７０は、固定筒６０の光軸Ｉ方向像側の開口端部に固定され、図示しない撮像素子が固定されるものである。撮像素子は、例えばＣＣＤやＣＭＯＳ等の光―電気変換素子であって、その撮像面に結像された被写体像を取得するものである。
【００２０】
第３レンズ群室８０は、第３レンズ群Ｌ３を収容し保持するものであって、固定筒６０に対して光軸Ｉ方向に移動可能に支持されている。また、第３レンズ群室８０は、後述するフォーカスモータ１００のスクリュとネジ結合されるナット８１を備えている。
【００２１】
ズームモータ９０は、図２、図３に示すように、固定筒６０の外周面に隣接して配置されている。ズームモータ９０は、駆動ギア９１（図４参照）、ピニオンギア９２、フォトインタラプタ（ＰＩ）９３を備えている。
駆動ギア９１は、カム筒３０のギア部３４と噛合し、カム筒３０を回転駆動するものである。
ピニオンギア９２は、ズームモータ９０の出力軸に圧入固定され、駆動ギア９１に動力を伝達するものである。
ＰＩ９３は、ピニオンギア９２に固定された羽根部による光線の遮断を検出し、パルス信号を出力することによってズームモータ９０の駆動量を検出するものである。
【００２２】
フォーカスモータ１００は、第３レンズ群室８０を光軸Ｉ方向に駆動するものであって、その回転軸が光軸Ｉに対して平行となるように鏡筒ベース７０に固定されている。
フォーカスモータ１００は、その出力軸にスクリュ１０１を備えている。このスクリュ１０１は、上述した第３レンズ群室８０のナット８１にネジ結合され、その軸心回りの回転によってナット８１を光軸Ｉ方向に送るものである。
【００２３】
次に、上述したレンズ鏡筒１の動作について説明する。
先ず、図２に示す沈胴状態から図３に示す撮影状態に移行する際は、レンズ鏡筒１は、ズームモータ９０によってカム筒３０を回転駆動する。これによって、直進筒２０及び第２レンズ群室５０は、それぞれカム筒３０との間に設けられたカム機構によって、カム筒３０に対して光軸Ｉ方向に移動される。同時に、カム筒３０は、カム筒３０と固定筒６０との間に設けられたカム機構によって、固定筒６０に対して光軸Ｉ方向に移動され、これによって直進筒２０、カム筒３０、第２レンズ群室５０は、使用状態の位置への繰り出しが行われる。このとき、レンズバリア２２は、バリア連動板４７及びバリアリング２３によって開かれる。
一方、第３レンズ群室８０は、フォーカスモータ１００によって、直進筒２０、カム筒３０、第２レンズ群室５０とは独立して光軸Ｉ方向に移動される。
また、レンズ鏡筒１は、使用状態から沈胴状態に移行する際は、上述した動作と逆方向の動作が行われる。
【００２４】
ここで、レンズ鏡筒１は、撮影状態にあるときに、直進筒２０の先端部側を光軸Ｉ方向に押圧する外力が入力されると、この光軸Ｉ方向の押圧力が直進筒２０とカム筒３０との間のカム機構によって光軸Ｉ回りの回転力に変換される。カム筒３０は、ギア部３４が駆動ギア９１と噛合することによって光軸Ｉ回りの回転が制限されているため、この回転力は、直進キー４０に対して負荷されることになる。
【００２５】
直進キー４０に光軸Ｉ回りの回転力が負荷されると、カム筒３０のギア部３４と駆動ギア９１との噛合部Ａを支点として、直進キー４０を回転させて偏心させるモーメントが生ずる。
このとき仮に直進キー４０の突起部４２が、固定筒６０の直進案内溝６２から引き抜かれて固定筒６０の内径側に移動すると、直進キー４０及びカム筒３０が偏心し、カム筒３０のギア部３４と駆動ギア９１との間でギアの歯飛びが生じてしまう。ギアの歯飛びが生じると、例えば同一のズームモータによって駆動される変倍式の光学式ビューファインダに対してズームポジションのずれが生じ、ファインダ視野率の誤差が生じてしまう。
【００２６】
これに対し、実施例１においては、直進キー４０の突起部４２を、内径側の幅を狭くした台形状に形成するとともに、これが挿入される固定筒６０の直進案内溝６２の最小幅を突起部４２の最大幅よりも小さく設定しているため、突起部４２の固定筒６０に対するその内径側への移動が制限されている。
このため、上述した直進キー４０、カム筒３０の固定筒６０に対する偏心が抑制され、カム筒３０のギア部３４と駆動ギア９１との間の歯飛びを防止することができる。
また、突起部４２及び直進案内溝６２は、噛合部Ａを挟んだ両側に配置されているから、直進キー４０に負荷される回転力の方向にかかわらず上述した効果を得ることができる。
【実施例２】
【００２７】
次に、本発明を適用したレンズ鏡筒の実施例２について説明する。上述した実施例１と同様の部分については同じ符号を付して説明を省略し、主に相違点について説明する。
図５は、実施例２のレンズ鏡筒の断面図であって、上述した実施例１における図４に相当する箇所を示すものである。
【００２８】
実施例２のレンズ鏡筒２は、実施例１における直進キー４０の突起部４２に代えて、直進キー４０と別体に形成された突起部４５を備えている。この突起部４５は、固定筒６０の直進案内溝６２に挿入される範囲では実施例１の突起部４２と同様の形状に形成されている。この突起部４５は、直進キー４０に対して、光軸Ｉと略平行な方向に挿入されるビス４６によって固定される。
また、実施例２においては、固定筒６０の直進案内溝６２は、固定筒６０の内周面から外周面にかけて貫通して形成されている。
【００２９】
実施例２によれば、上述した実施例１と同様の効果に加え、突起部４５を直進キー４０と別体に形成したから、これらを成形する金型の構成を容易化することができる。また、突起部４５を直進案内溝６２内に挿入した後に直進キー４０と結合することによって、組立を簡単に行うことができる。
また、直進案内溝６２を固定筒６０の外周面側まで貫通させているから、直進案内溝６２の内面を、固定筒６０を成形する金型の固定筒６０の外周面を形成する面部から突き出した突条によって成形することができ、例えば内周面を形成する面部側の金型を用いて形成する場合のようにアンダーカットが発生せず、固定筒６０の製造を容易化することができる。
【００３０】
（変形例）
本発明は、以上説明した各実施例に限定されることなく、種々の変形や変更が可能であって、それらも本発明の均等の範囲内である。
（１）各実施例は、デジタルスチルカメラの撮影用レンズ鏡筒であったが、本発明はこれに限らず、例えばムービーカメラやフィルムカメラのレンズ鏡筒等の他の用途にも適用することができる。
（２）案内部の構成や配置は、各実施例のものに限定されず適宜変更することができる。例えば、各実施例の突起部は、周方向における両側に径方向に対して傾斜した斜面を有するものであったが、片側にのみ斜面を有するものであってもよい。また、斜面を用いて筒体部の内径側への移動を防止するものに限らず、他の形状であってもよい。
（３）案内部は、移動部材を直進案内するものに限らず、光軸方向への移動と連動して光軸回りに回転する運動をガイドするカム機構を兼ねるものであってもよい。
【図面の簡単な説明】
【００３１】
【図１】本発明を適用したレンズ鏡筒の実施例１の分解斜視図である。
【図２】図１のレンズ鏡筒の沈胴時の状態を示す断面図である。
【図３】図１のレンズ鏡筒の撮影時の状態を示す断面図である。
【図４】図２のIV−IV部矢視断面図である。
【図５】本発明を適用したレンズ鏡筒の実施例２の断面図である。
【符号の説明】
【００３２】
１  レンズ鏡筒；  ２０  直進筒；  ３０  カム筒；  ４０  直進キー；  ４２  突起部；  ５０  第２レンズ群室；  ６０  固定筒；  ６２  直進案内溝
【図１】
2006343557.tif 000003
【図２】
2006343557.tif 000004
【図３】
2006343557.tif 000005
【図４】
2006343557.tif 000006
【図５】
2006343557.tif 000007